(57)【特許請求の範囲】
【請求項１】
印刷情報ファイル出力装置から出力された印刷データおよび印刷ジョブを有する印刷情報ファイルが印刷装置に入力され、該印刷装置において前記印刷情報ファイルを受け付け、該受け付けられた前記印刷情報ファイルを記憶する印刷情報記憶方法において、
所定のファイル名が付された前記印刷情報ファイルが前記印刷装置に入力された際、前記印刷装置において、ファイル名として受付けが可能な、前記所定のファイル名とは異なる前記印刷情報ファイルの記憶用ファイル名を生成し、該記憶用ファイル名が前記所定のファイル名の代わりに前記印刷情報ファイルのファイル名として付された前記印刷情報ファイルを受け付け、前記記憶用ファイル名と前記印刷情報ファイルとを関連付けて記憶するとともに、該記憶の際、前記所定のファイル名がファイル内に書き込まれた前記印刷情報ファイルを記憶することを特徴とする印刷情報記憶方法。
【請求項２】
入力された複数の前記印刷情報ファイルに対して、前記記憶用ファイル名が重複して生成されないように、ファイル名管理ファイルを参照して前記記憶用ファイル名を生成することを特徴とする請求項１記載の印刷情報記憶方法。
【請求項３】
入力された複数の前記印刷情報ファイルのそれぞれに対して、連続した番号を前記記憶用ファイル名として生成することを特徴とする請求項１記載の印刷情報記憶方法。
【請求項４】
前記連続した番号を前記記憶用ファイル名として生成する際、前記記憶用ファイル名が重複して生成されないように前記記憶用ファイル名として最後に生成された番号を有するファイル名管理ファイルを参照して前記記憶用ファイル名を生成することを特徴とする請求項３記載の印刷情報記憶方法。
【請求項５】
印刷情報ファイル出力装置から出力された印刷データおよび印刷ジョブを有する印刷情報ファイルが入力され、該印刷情報ファイルを受け付ける印刷情報ファイル受付手段と、該印刷情報ファイル受付手段により受け付けられた前記印刷情報ファイルを記憶する印刷情報ファイル記憶手段とを備えた印刷情報記憶装置において、
所定のファイル名が付された前記印刷情報ファイルが入力された際、前記印刷情報ファイル受付手段がファイル名として受付可能な、前記所定のファイル名とは異なる前記印刷情報ファイルの記憶用ファイル名を生成するファイル名生成手段を有し、
前記印刷情報ファイル受付手段が、前記記憶用ファイル名が前記印刷情報ファイルのファイル名として付された前記印刷情報ファイルを受け付けるものであり、
前記印刷情報ファイル記憶手段が、前記記憶用ファイル名と前記印刷情報ファイルとを関連付けて記憶するものであるとともに、該記憶の際、前記所定のファイル名がファイル内に書き込まれた前記印刷情報ファイルを記憶するものであることを特徴とする印刷情報記憶装置。
【請求項６】
前記ファイル名生成手段が、入力された複数の前記印刷情報ファイルに対して、前記記憶用ファイル名が重複して生成されないように、ファイル名管理ファイルを参照して前記記憶用ファイル名を生成するものであることを特徴とする請求項５記載の印刷情報記憶装置。
【請求項７】
前記ファイル名生成手段が、入力された複数の前記印刷情報ファイルのそれぞれに対して、連続した番号を前記記憶用ファイル名として生成するものであることを特徴とする請求項５記載の印刷情報記憶装置。
【請求項８】
前記記憶用ファイル名として最後に生成された番号を有するファイル名管理ファイルを有し、
前記ファイル名生成手段が、前記記憶用ファイル名が重複して生成されないようにファイル名管理ファイルを参照して前記記憶用ファイル名の番号を生成するものであることを特徴とする請求項７記載の印刷情報記憶装置。
【請求項９】
前記ファイル名生成手段が、前記記憶用ファイル名の前記連続した番号が所定の最大値になったとき、再び初期値番号から前記記憶用ファイル名を生成するものであることを特徴とする請求項７または８記載の印刷情報記憶装置。
【請求項１０】
前記ファイル名生成手段が、前記記憶用ファイル名の前記連続した番号が所定の最大値となったとき、既に削除された前記記憶用ファイル名を検索し、該検索により検出された前記削除された前記記憶用ファイル名の番号を前記記憶用ファイル名として生成するものであることを特徴とする請求項７または８記載の印刷情報記憶装置。
【請求項１１】
印刷データおよび印刷ジョブを有する印刷情報ファイルを出力する印刷情報ファイル出力装置と、該印刷情報ファイル出力装置から出力された印刷情報ファイルが入力され、該印刷情報ファイルを受け付ける印刷情報ファイル受付手段および該印刷情報ファイル受付手段により受け付けられた前記印刷情報ファイルを記憶する印刷情報ファイル記憶手段を有する印刷装置とを備えた印刷システムにおいて、
前記印刷装置が、所定のファイル名が付された前記印刷情報ファイルが前記印刷装置に入力された際、前記印刷情報ファイル受付手段がファイル名として受付可能な、前記所定のファイル名とは異なる前記印刷情報ファイルの記憶用ファイル名を生成するファイル名生成手段を有し、
前記印刷情報ファイル受付手段が、前記記憶用ファイル名が前記印刷情報ファイルのファイル名として付された前記印刷情報ファイルを受け付けるものであり、
前記印刷情報ファイル記憶手段が、前記記憶用ファイル名と前記印刷情報ファイルとを関連付けて記憶するものであるとともに、該記憶の際、前記所定のファイル名がファイル内に書き込まれた前記印刷情報ファイルを記憶するものであることを特徴とする印刷システム。
【発明の詳細な説明】
【０００１】
【発明の属する技術分野】
本発明は、入力される印刷データおよび印刷ジョブを含む印刷情報ファイルを受け付けて記憶する印刷情報記憶方法および装置に関するものである。
【０００２】
【従来の技術】
コンピュータの普及およびDTPソフトウェアの機能の充実に伴って、今日、印刷用のデータがほとんどコンピュータにより作成されるようになっている。デジタルデータになっていない原稿も、スキャナなどの読取装置によりコンピュータに取り込まれ、デジタル化されて、画像処理を施された後に印刷機に出力されて、製版印刷されることが多い。
【０００３】
さらに、上記のようにコンピュータから印刷機に印刷データが出力される際、印刷データは用紙サイズや印刷枚数といった印刷ジョブの情報とともに１つの印刷情報ファイルとして印刷機に出力されるといった処理も一般的に行なわれている。このような処理を行う場合、印刷機にはこの印刷情報ファイルを受け付けるファイルシステムおよび印刷情報ファイルを記憶するハードディスクやＦＬＡＳＨメモリなどの記憶媒体が搭載されており、コンピュータから出力された印刷情報ファイルを展開して直接印刷したり、或いは一旦上記記憶媒体に記憶しておき、必要に応じてこの記憶されている印刷情報ファイルを取り出して印刷することができる。
【０００４】
また、上記のようにしてコンピュータから出力される印刷情報ファイルには、ファイル名（例えば、議事録あるいは売上報告もしくはそれらに拡張子が付されたもの）が付されており、印刷機はこのファイル名の付された印刷情報ファイルをファイルシステムにより受け付け、これを記憶媒体に記憶するのが一般的である。このようにして記憶することにより、一旦記憶した複数の印刷情報ファイルのファイル名を印刷機の表示パネル等で確認して、特定の印刷情報ファイルを印刷実行したり、削除したりすることが可能である。
【０００５】
【発明が解決しようとする課題】
しかしながら、印刷機に接続されるコンピュータに搭載されるＯＳは各国の言語によりそれぞれ異なっており、またサポートしている言語コードも様々であるため、このような種々のＯＳや言語コードを印刷機に搭載されているファイルシステムがサポートしていない場合には、２バイトコードの判定条件や１バイトコードのシフトアウト側の文字割り当てなどが異なってファイル名が認識されなかったり、ファイル名にファイルシステムの禁止文字等が含まれて認識されなかったりして、これらの印刷情報ファイルを受け付けて記憶媒体に記憶することができずエラーを生じてしまう。
【０００６】
また、上記のようなエラーを回避するためにはそれぞれの言語コードなどに対応したファイルシステムを採用するか、もしくは上記禁止文字などを除去する機能を付加する必要があり、コストアップの原因となる。
【０００７】
本発明は、上記のような事情に鑑み、コンピュータなどから出力される印刷情報ファイルのファイル名の言語コードなどが異なる場合においても、常にそれらの印刷情報ファイルを受け付け、記憶媒体に記憶することができる印刷情報記憶方法および装置を提供することを目的とするものである。
【０００８】
【課題を解決するための手段】
本発明の印刷情報記憶方法は、印刷データおよび印刷ジョブを有する印刷情報ファイルが入力され、その印刷情報ファイルを受け付け、受け付けられた印刷情報ファイルを記憶する印刷情報記憶方法において、印刷情報ファイルが入力された際、受付けが可能な印刷情報ファイルの記憶用ファイル名を生成し、その記憶用ファイル名が印刷情報ファイルのファイル名として付された印刷情報ファイルを受け付け、記憶用ファイル名と印刷情報ファイルとを関連付けて記憶することを特徴とする。
【０００９】
ここで、「印刷情報ファイル」は、例えば、コンピュータや、プリントコントローラ、またはプリントコントローラとコンピュータが一体化されたものなどから出力されたものでもよいし、フレキシブルディスクなどの所定の記憶媒体から読み取られたものでもよい。
【００１０】
また、上記「印刷ジョブ」とは印刷情報ファイルの有する印刷データについての印刷制御情報であり、例えば、印刷する用紙のサイズや印刷する用紙枚数などを意味する。
【００１１】
また、例えば、印刷情報ファイルのファイル名が、ＯＳや言語コードの違いにより印刷情報ファイルを受け付ける印刷情報ファイル受付手段において認識することができなかったり、上記ファイル名の中に印刷情報ファイル受付手段における禁止文字が含まれていて認識することができなかったりした場合には、印刷情報ファイルを受け付けることができない問題が生じる。従って、上記「受付けが可能な印刷情報ファイルの記憶用ファイル名」とは、このような問題が生じることがないように発生させた印刷情報ファイルのファイル名である。例えば、入力された複数の印刷情報ファイルに対して、重複しないようにランダムに発生させた番号を記憶用ファイル名としてもよいし、要は印刷情報ファイル受付手段が認識可能な文字や数字などであれば如何なるものでもよく、また上記番号と所定の固定文字列を結合したものでもよい。
【００１２】
また、連続した番号を記憶用ファイル名として生成するようにすることが望ましく、上記「連続した番号」は、小さい番号から順次所定の値を加算していった番号でもよいし、大きい番号から順次所定の値を減算していった番号でもよい。
【００１３】
また、上記「記憶用ファイル名と印刷情報ファイルとを関連付けて記憶する」とは、例えば、複数の印刷情報ファイルが記憶される場合においても、各印刷情報ファイルと記憶用ファイル名とをそれぞれ１対１に対応させて記憶することを意味する。
【００１４】
また、入力された複数の印刷情報ファイルに対して、記憶用ファイル名が重複して生成されないようにファイル名管理ファイルを参照して印刷情報ファイル名を生成するようにすることができる。
【００１５】
ここで、上記「ファイル名管理ファイル」は、生成される記憶用ファイル名に応じてその内容を決定すればよいが、例えば、小さい番号から順次所定の値が加算された連続した番号を記憶用ファイル名として生成する場合には、記憶用ファイル名として最後に生成された番号を有するものとすれば、これを参照して番号をインクリメントし記憶用ファイル名を生成するようにすれば記憶用ファイル名が重複しないようにすることができる。
【００１６】
また、例えば、小さい番号から順次所定の値が加算された連続した番号を記憶用ファイル名として生成する場合、その連続した番号が所定の最大値になったとき、再び初期値番号から記憶用ファイル名を生成するようにすることができる。
【００１７】
ここで、上記「所定の最大値」とは、印刷情報ファイルを記憶する印刷情報ファイル記憶手段の容量と該印刷情報ファイル記憶手段がサポートできるファイル数などを考慮して定めることが望ましい。
【００１８】
また、記憶用ファイル名の連続した番号が所定の最大値となったとき、既に削除された記憶用ファイル名を検索し、検索により検出された削除された記憶用ファイル名の番号を記憶用ファイル名として生成するようにすることができる。
【００１９】
ここで、上記「既に削除された記憶用ファイル名」とは、例えば、既に印刷実行する必要がなくなった不要な印刷情報ファイルの記憶用ファイル名を意味する。
【００２０】
また、印刷情報ファイルが所定のファイル名とともに入力された場合、上記記憶の際、所定のファイル名が書き込まれた印刷情報ファイルを記憶するようにすることができる。また、このとき印刷情報ファイルへの書き込みはファイル名だけでなく、記憶用ファイル名も関連付けて印刷情報ファイルへ書き込むようにしてもよい。
【００２１】
本発明による印刷情報記憶装置は、印刷情報出力装置から出力された印刷データおよび印刷ジョブを有する印刷情報ファイルが入力され、その印刷情報ファイルを受け付ける印刷情報ファイル受付手段と、その印刷情報ファイル受付手段により受け付けられた印刷情報ファイルを記憶する印刷情報ファイル記憶手段とを備えた印刷情報記憶装置において、印刷情報ファイルが入力された際、印刷情報ファイル受付手段が受付可能な印刷情報ファイルの記憶用ファイル名を生成するファイル名生成手段を有し、印刷情報ファイル受付手段が、記憶用ファイル名が印刷情報ファイルのファイル名として付された印刷情報ファイルを受け付けるものであり、印刷情報ファイル記憶手段が、記憶用ファイル名と印刷情報ファイルとを関連付けて記憶するものであることを特徴とする。
【００２２】
ここで、上記「印刷情報ファイル受付手段」とは、例えば、印刷機などに搭載されるファイルシステムを意味する。
【００２３】
また、上記「印刷情報ファイル記憶手段」とは、例えば、印刷機などに搭載されるハードディスクやＦＬＡＳＨメモリなどを意味する。
【００２４】
また、ファイル名生成手段が、入力された複数の印刷情報ファイルに対して、記憶用ファイル名が重複して生成されないようにファイル名管理ファイルを参照して記憶用ファイル名を生成するようにすることができる。
【００２５】
また、ファイル名生成手段が、入力された複数の印刷情報ファイルのそれぞれに対して、連続した番号を記憶用ファイル名として生成するようにすることができる。
【００２６】
また、記憶用ファイル名として最後に生成された番号を有するファイル名管理ファイルを有し、ファイル名生成手段が、記憶用ファイル名が重複して生成されないようにファイル名管理ファイルを参照して前記記憶用ファイル名の番号を生成するようにすることができる。
【００２７】
また、ファイル名生成手段が、記憶用ファイル名の連続した番号が所定の最大値になったとき、再び初期値番号から記憶用ファイル名を生成するようにすることができる。
【００２８】
また、ファイル名生成手段が、記憶用ファイル名の連続した番号が所定の最大値となったとき、既に削除された記憶用ファイル名を検索し、検索により検出された削除された記憶用ファイル名の番号を記憶用ファイル名として生成するようにすることができる。
【００２９】
また、印刷情報ファイルが所定のファイル名とともに入力された場合、印刷情報ファイル記憶手段が、上記記憶の際、上記所定のファイル名が書き込まれた印刷情報ファイルを記憶するようにすることができる。
【００３０】
【発明の効果】
本発明の印刷情報記憶方法および装置によれば、印刷情報ファイルが入力された際、受付けが可能な印刷情報ファイルの記憶用ファイル名を生成し、その記憶用ファイル名が印刷情報ファイルのファイル名として付された印刷情報ファイルを受け付け、記憶用ファイル名と印刷情報ファイルとを関連付けて記憶するようにしたので、コンピュータなどから出力された印刷情報ファイルのファイル名の言語コードなどに影響されずに確実に印刷情報ファイルの受け付けおよび記憶が可能となる。
【００３１】
また、入力された複数の印刷情報ファイルに対して、記憶用ファイル名が重複して生成されないようにファイル名管理ファイルを参照するようにすれば、前に記憶された印刷情報ファイルに上書きしてしまうような誤りを確実に回避することができる。
【００３２】
また、小さい番号から順次所定の値が加算された連続した番号を記憶用ファイル名として生成する場合には、ファイル名管理ファイルが記憶用ファイル名として最後に生成された番号を有し、これを参照して番号をインクリメントして記憶用ファイル名を生成するようにすれば、容易に重複しない番号の生成を行うことができる。
【００３３】
また、記憶用ファイル名の連続した番号が所定の最大値になったとき、再び初期値番号から記憶用ファイル名を生成するようにすれば、例えば、印刷情報ファイル記憶手段の記憶容量に空きがなくなった場合においても、印刷情報ファイルを受け付けて記憶することができる。
【００３４】
また、記憶用ファイル名の連続した番号が所定の最大値となったとき、既に削除された記憶用ファイル名を検索し、検索により検出された削除された記憶用ファイル名の番号を記憶用ファイル名として生成するようにするようにすれば、例えば、印刷情報ファイル記憶手段の記憶容量に空きがなくなった場合においても、印刷情報ファイルを受け付け、ファイルの上書きを回避させて記憶することができる。
【００３５】
また、印刷情報ファイルが所定のファイル名とともに入力された場合、その所定のファイル名が書き込まれた印刷情報ファイルを記憶するようにした場合には、そのファイル名を検索することにより特定のファイルを選択し、そのファイル名および印刷ジョブの内容の表示や変更などを行うことができる。また、このとき印刷情報ファイルへの書き込みはファイル名だけでなく、記憶用ファイル名も関連付けて印刷情報ファイルへ書き込みようにすれば、印刷ジョブ名による印刷情報ファイルの選択とともに、その印刷情報ファイル内に書き込まれた記憶用ファイル名を取り出して印刷情報ファイルへのアクセスおよび展開などを行うことができ、処理速度を向上させることができる。
【００３６】
また、例えば、印刷機がネットワークなどに接続されていた場合、複数のユーザが一つの印刷機を共有することがありユーザ間でファイル名を重複して使用することが考えられる。このような場合においても、印刷情報ファイル記憶手段には、同一のファイル名の印刷情報ファイルを異なる記憶用ファイル名で重複することなく記憶することができる。
【００３７】
【発明の実施の形態】
以下、図面を参照しながら本発明の一実施形態を説明する。図１は本発明による印刷情報記憶装置の一実施形態を用いた印刷機１０とその印刷機１０に印刷情報ファイルを出力するコンピュータ２０との接続形態を示す図である。
【００３８】
図１に示すように印刷機１０には直接またはLAN、電話回線などの公衆回線などの有線回線、もしくは無線回線を介してコンピュータ２０が接続されている。
【００３９】
コンピュータ２０は、ＤＴＰソフトなどを用いてページ記述言語で記述された印刷データを印刷情報ファイルとして印刷機１０に出力するものであり、印刷情報ファイルには、印刷時における用紙サイズ、印刷枚数などの印刷ジョブも含まれている。
【００４０】
ここで、従来、コンピュータが印刷情報ファイルを出力する場合には、そのファイル名を付して出力し、印刷機の印刷情報ファイル受付手段においてこのファイルが受け付けられ、受け付けられた印刷情報ファイルはファイル名とともに印刷情報ファイル記憶手段に記憶され、この記憶されたファイル名が指定されることにより印刷が実行される。しかしながら、コンピュータが複数の各国のＯＳや言語コードをサポートしている場合、これらのＯＳや言語コードに対して印刷機の印刷情報ファイル受付手段がサポートされていない場合があり、ファイル名の文字コードによっては印刷機の印刷情報ファイル受付手段の未サポート言語などに該当し、このようなファイル名の印刷情報ファイルを受け付けることができない問題が生じる。また、印刷情報ファイルのファイル名に印刷情報ファイル受付手段の禁止文字が使用されている場合などにおいても上記と同様に印刷機の印刷情報ファイル受付手段は受け付けることができない。
【００４１】
そこで、上記のような問題点を回避するため本印刷機１０は、コンピュータ２０から出力される印刷情報ファイルに対して印刷情報ファイル受付手段３２において受付可能な記憶用ファイル名を生成するファイル名生成手段３１を備えている。印刷情報ファイル受付手段３２は、上記記憶用ファイル名を印刷情報ファイルのファイル名として受け付ける。本実施の形態では記憶用ファイル名として小さい番号から順次１インクリメントしていった連続した番号を使用する。このような連番をファイル名として使用することにより印刷情報ファイル受付手段３２はコンピュータ２０から出力される全ての印刷情報ファイルをそのファイル名の言語に影響を受けることなく受け付けることができる。
【００４２】
また、本印刷機１０は上記のようにして印刷情報ファイル受付手段３２により受け付けられた印刷情報ファイルをその連番のファイル名と関連付けて記憶する印刷情報ファイル記憶手段３３を備えている。印刷情報ファイル記憶手段３３内に記憶されるファイル構成は図２に示すようになっており、印刷情報ファイルの他に連番管理ファイルが記憶されている。連番管理ファイルとはファイル名生成手段３１において生成されて印刷情報ファイル記憶手段３３に記憶された連番のうち最後に生成された番号を有するファイルであり、具体的には図３に示すように連番管理ファイルであることの確認用の識別子Ａとともに構成されている。ファイル名生成手段３１が記憶用ファイル名として新たに番号を発生する場合には、この連番管理ファイルを参照し、連番管理ファイルの有する番号をインクリメントして番号を発生することにより、記憶用ファイル名が重複するのを回避することができる。
【００４３】
また、印刷情報ファイル記憶手段３３内に記憶される印刷情報ファイルは、具体的には図４に示すように印刷ジョブである用紙サイズと印刷枚数、ファイル名、連番および印刷データと印刷ジョブファイルであることの確認用の識別子Ｂとから構成されている。ファイル名と連番は印刷情報ファイル記憶手段３３に連番が付された印刷情報ファイルが記憶された後にファイル内に書き込まれる。このように印刷ジョブ名と連番をファイル内に書き込むことにより、印刷機１０を使用するものはファイル名で印刷情報ファイルを選択することができ、実際に印刷情報ファイルを展開するときには、選択されたファイル名に対応する連番を利用してファイルにアクセスするようにすることができる。
【００４４】
また、本印刷機１０には表示手段４０を備えており、表示手段４０は印刷情報ファイル記憶手段３３に記憶された印刷情報ファイルの内容を読み込み、図５のように印刷情報ファイル受付手段３１により受け付けられた順序に従って、そのファイル名、受信日時および用紙サイズを表示する液晶パネルである。この液晶パネルにはジョブ呼出ボタン４１、印刷実行ボタン４２、ジョブ削除ボタン４３およびカーソルボタン４４が設けられている。カーソルボタン４４は表示された印刷情報ファイルのいずれかを選択するものであり、ジョブ呼出ボタン４１はカーソルボタン４４により選択された印刷情報ファイルの印刷ジョブを呼び出し、その内容を変更したり、また印刷を開始などするためのものであり、ジョブ削除ボタン４３はカーソルボタン４４により選択された印刷情報ファイルを印刷情報ファイル記憶手段３３から消去するためのものである。
【００４５】
次に、本印刷機１０においてコンピュータ２０から出力された印刷情報ファイルを受け付け、印刷情報ファイル記憶手段３３に記憶するまでの作用を図６に示すフローチャートを用いて説明する。
【００４６】
まず、コンピュータ２０から出力された印刷情報ファイルを受け取ったファイル名生成手段３１は印刷情報ファイル記憶手段３３に連番管理ファイルが存在するか否かを確認する（Ｓ１）。印刷情報ファイル記憶手段３３に連番ファイルが存在する場合には、連番管理ファイルから連番を取り出し（Ｓ２）、Ｓ３に進む。連番ファイルが存在しない場合には連番を０に初期化し（Ｓ１０）、Ｓ３に進む。Ｓ３では、連番管理ファイルから取り出された連番または０に初期化された連番を１インクリメントする。そして、所定の固定文字列と連番を繋げて記憶用ファイル名を生成する（Ｓ４）。印刷情報ファイルの所定のファイル名を記憶用ファイル名に書き換えて印刷情報ファイル記憶手段３３に書き込む（Ｓ５）。ここで、印刷情報ファイル記憶手段３３に既に記憶されている記憶用ファイル名と重複していないか調べる（Ｓ６）。重複していない場合には、連番管理ファイルの連番を新たに生成した連番に更新する（Ｓ７）。重複している場合には、再度Ｓ３に進み連番を１インクリメントする。Ｓ３における連番のインクリメントはＳ６において記憶用ファイル名が重複しなくなるまで繰り返される。そして、Ｓ８では新たに記憶された記憶用ファイル名の印刷情報ファイルに上記所定のファイル名と付加した連番を書き込む。さらに、その他用紙サイズや枚数などの印刷パラメータと印刷データを書き込む（Ｓ９）。
【００４７】
次に、本印刷機１０において印刷情報ファイル記憶手段３３に記憶された印刷情報ファイルを呼び出し、印刷実行などするまでの作用について図７に示すフローチャートを用いて説明する。
【００４８】
まず、表示手段４０においてカーソルボタン４４により印刷実行したいファイル名が選択され、ジョブ呼出ボタン４１を押されると印刷情報ファイル記憶手段３３から選択されたファイル名を含む印刷情報ファイルが検出され、この検出された印刷情報ファイルから連番が取り出される（Ｓ１１）。そして、この連番がファイル名生成手段３１に入力され、所定の固定文字列と上記連番を繋げて記憶用ファイル名を生成する。ファイル名生成手段３１はこの記憶用ファイル名を印刷情報ファイル受付手段３２に出力する。次に、表示手段４０における印刷実行ボタン４２が押されたかジョブ削除ボタン４３が押されたかを検出し（Ｓ１３）、印刷実行ボタン４２が押された場合には、Ｓ１４に進む。一方、ジョブ削除ボタン４３が押された場合にはＳ１８に進み、印刷情報ファイル受付手段３２はファイル名生成手段３１から入力された記憶用ファイル名の印刷情報ファイルを印刷情報ファイル記憶手段３３から検出し、そのファイルを印刷情報ファイル記憶手段から削除する。また、Ｓ１４では、印刷情報ファイル受付手段３２はファイル名生成手段３１から入力された記憶用ファイル名の印刷情報ファイルを開く。そして、印刷ジョブの各パラメータと印刷データを読み取り、印刷部（図示省略）に出力して印刷が実行される。印刷実行終了後、印刷情報ファイル受付手段３２は上記印刷情報ファイルを閉じる。
【００４９】
上記本発明の印刷情報記憶装置の一実施形態を用いた印刷機１０によれば、印刷情報ファイルが入力された際、受付けが可能な印刷情報ファイルの記憶用ファイル名を生成し、その記憶用ファイル名が印刷情報ファイルのファイル名として付された印刷情報ファイルを受け付け、記憶用ファイル名と印刷情報ファイルとを関連付けて記憶するようにしたので、コンピュータなどから出力された印刷情報ファイルのファイル名の言語コードなどに影響されずに確実に印刷情報ファイルの受け付けおよび記憶が可能となる。
【００５０】
また、上記実施形態では印刷情報記憶装置が印刷機１０に内蔵された構成としているが、印刷機１０とは別の筐体で構成されるようにしてもよい。
【図面の簡単な説明】
【図１】本発明による印刷情報記憶装置を用いた印刷機と該印刷機に印刷情報ファイルを出力するコンピュータとの接続図
【図２】本発明による印刷情報記憶装置の印刷情報ファイル記憶手段内のファイルの記憶構成
【図３】連番管理ファイルの構成図
【図４】本発明による印刷情報記憶装置の印刷情報ファイル記憶手段に記憶される印刷情報ファイルの構成図
【図５】本発明による印刷情報記憶装置を用いた印刷機の表示手段における一表示態様
【図６】本発明による印刷情報記憶装置に印刷情報ファイルを記憶する作用を示すフローチャート
【図７】本発明による印刷情報記憶装置に記憶された印刷情報ファイルを呼び出して処理する作用を示すフローチャート
【符号の説明】
１０    印刷機
２０    コンピュータ
３１    ファイル名生成手段
３２    印刷情報ファイル受付手段
３３    印刷情報ファイル記憶手段
４０    表示手段
４１    ジョブ呼出しボタン
４２    印刷実行ボタン
４３    ジョブ削除ボタン
４４    カーソルボタン
【図１】
0004492838.tif 000002
【図２】
0004492838.tif 000003
【図３】
0004492838.tif 000004
【図４】
0004492838.tif 000005
【図５】
0004492838.tif 000006
【図６】
0004492838.tif 000007
【図７】
0004492838.tif 000008